(57)【要約】 【課題】浴室の洗い場に設置される木質材からなるすのこを腐れやカビから防止するとともに洗い場の床勾配によるガタツキを解決する浴室用すのこを提供することを目的とする。【解決手段】すのこ５は、複数の木質材１からなる表面板部３及び複数の木質材２からなる根太板部４が上下に略９０度の角度に交差して固着される。前記表面板部３及び根太板部４は、それぞれの複数の木質材１、２の少なくとも下面１５、６に防湿シート１６が貼着される。前記表面板部３の木質材１に対する防湿シート１６の貼着範囲は、その下面１５全域と長手方向の両側面１７の略１／２高さまでの領域である。なお、短手方向の両側面１８領域には防湿シート１６が貼着されない。前記根太板部４の木質材２に対する防湿シート１６は、その下面６全域に加えて長手方向の側面２０及び短手方向の側面２１の全側面領域にも貼着される。【選択図】  図１
2006263379.tif 000002
【特許請求の範囲】
【請求項１】
複数の木質材からなる表面板部及び根太板部が交差して固着される浴室用すのこであって、
前記表面板部及び根太板部のそれぞれの複数の木質材の少なくとも下面に防湿シートが貼着されるとともに、
前記根太板部の下面に前記浴室用すのこを水平に支持する複数の弾性材からなる支持脚を備え、前記支持脚の基部が前記根太板部の下面に設けられた孔に保持され、前記支持脚の先端部が球面形状に形成されることを特徴とする浴室用すのこ。
【請求項２】
請求項１記載の浴室用すのこであって、複数の木質材からなる前記根太板部の防湿シートは前記複数の木質材の側面にまで至らせることを特徴とする浴室用すのこ。
【請求項３】
請求項１又は請求項２に記載の浴室用すのこであって、前記表面板部及び根太板部のそれぞれの木質材は耐水性（撥水性）に優れることを特徴とする浴室用すのこ。
【発明の詳細な説明】
【技術分野】
【０００１】
本発明は、浴室の洗い場に設置される複数の木質材からなるすのこに関し、詳しくは、すのこを腐れやカビから防止するとともに洗い場の床勾配によるガタツキを解決する技術に関する。
【背景技術】
【０００２】
従来、浴室は浴槽と洗い場からなり、洗い場には人の垢や毛髪、ゴミ等が発生するため、使用者がより衛生的に使用できるように洗い場の床上にはすのこが置かれる。
【０００３】
この場合、すのこの材料としての好ましい要素は、滑らない表面、ひんやり感がなく温か味を感じる、人の足等に触れる際に肌触りがよい、見た目がよい、良い香りがする、人に優しい材料等が求められており、これらのニーズを概ね満たす材料として木質材が多用されている。
【０００４】
従来、このような木質材を用いた浴室用すのこの構造は、例えば、図５に示すように、それぞれ複数の木質材１、２からなる表面板部３及び根太板部４が上下に略角度９０度に交差して形成される。
【０００５】
ところが、下方に配置される根太板部４は常時水に接触するため、腐食やカビが発生しやすかった。さらに、複数の木質材によって排水の流れを堰き止めることになるので、人の垢や毛髪、ゴミ等が溜まりやすくなり、掃除が頻繁に必要になるとともに不衛生になりがちであった。
【０００６】
さらに、浴室用の洗い場に水勾配があるばあいには、洗い場の水勾配に十分対応できずガタツキが生じるという問題があった。
【０００７】
このため、特許文献１では、図６、図７に示すように、浴室３３は浴槽３１と洗い場３２からなり、洗い場３２の床面３４は矢印で示すように排水がスムーズに排出口３５まで流れるように、各側壁３６から排出口３５にかけて下り勾配が設けられており、洗い場３２の床面３４の全域に３組のすのこ５が敷かれる。このとき、すのこ５の下面６に高さ調節用のアジャスター７付の支持脚８（先端部９が円盤形状）が装着されている。
【０００８】
それぞれ３組のすのこ５は、少なくとも人の足等に触れる表面側を人に優しい木質系の部材で被覆し、その他の面はその使用目的に合致するように耐久性、耐水性、耐腐食性に優れた部材で構成される。
【特許文献１】特開２００３−１１６７２７号公報
【発明の開示】
【発明が解決しようとする課題】
【０００９】
図８（ａ）、（ｂ）に示すように、前記根太板部４の木質材２の下面６に設けられて前記浴室３３用のすのこ５を水平に支持する支持脚８は、その先端部９が円盤形状に形成され、ねじ７により高さ調整ができる構造である。
【００１０】
しかしながら、先端部９が円盤形状の場合、荷重が掛かる状態で先端部９の裏面９ａが薄い勾配のある床面３４に対して三日月形状１２で接地することになるので、接触面積が極端に少ないためガタツキが生じやすくすのこ５の安定性を確保するのが困難であった。
【００１１】
さらに、木質材は新品から時間が経過すると、特にすのこ５の裏面にカビなどが繁殖し、変色、ヌメリ等が発生して外観及び衛生的にも好ましくないという問題が発生していた。
【００１２】
そこで、本発明は、上記従来の問題点を解消して、浴室の洗い場に設置される複数の木質材からなるすのこを腐れやカビから防止するとともに洗い場の床勾配によるガタツキを解決する浴室用すのこを提供することを目的とする。
【課題を解決するための手段】
【００１３】
請求項１の発明は、複数の木質材からなる表面板部及び根太板部が交差して固着される浴室用すのこであって、前記表面板部及び根太板部のそれぞれの複数の木質材の少なくとも下面に防湿シートが貼着されるとともに、
前記根太板部の下面に前記浴室用すのこを水平に支持する複数の弾性材からなる支持脚を備え、前記支持脚の基部が前記根太板部の下面に設けられた孔に保持され、前記支持脚の先端部が球面形状に形成されることを特徴としている。
【００１４】
この浴室用すのこであれば、前記表面板部及び根太板部のそれぞれの少なくとも下面に防湿シートが貼着されるので、洗い場の床面に対面する木質材の表面（下面）が防湿シートによって保護することができる。
【００１５】
また、複数の弾性材からなる支持脚の先端部が球面形状に形成されるので、洗い場の床面に安定して取付けることができる。
【００１６】
請求項２の発明は、請求項１記載の浴室用すのこであって、複数の木質材からなる前記根太板部の防湿シートは前記複数の木質材の側面にまで至らせることを特徴としている。
【００１７】
この浴室用すのこであれば、防湿シートによって前記根太板部の木質材の側面を保護することができる。
【００１８】
請求項３の発明は、請求項１又は請求項２に記載の浴室用すのこであって、前記表面板部及び根太板部のそれぞれの木質材は耐水性（撥水性）に優れることを特徴としている。
【００１９】
この浴室用すのこであれば、それぞれの木質材が耐水性（撥水性）に優れているので、防湿シートで保護される木質材の洗い場の床面に対面する表面（下面）をさらに保護することができ、防湿シートで保護されない他の木質材表面も耐水性（撥水性）が向上する。
【発明の効果】
【００２０】
請求項１記載の発明によれば、洗い場の床面に対面する木質材の表面（下面）が防湿シートによって保護することができて、複数の弾性材からなる支持脚によってすのこを洗い場の床面に安定して水平に支持できる。
【００２１】
このため、浴室の洗い場に設置される複数の木質材からなるすのこを腐れやカビから防止するとともに洗い場の床勾配によるガタツキをなくすことができる。
【００２２】
請求項２記載の発明によれば、防湿シートによって前記根太板部の木質材の側面も保護することができるので、浴室の洗い場に設置される複数の木質材からなるすのこを腐れやカビから更に防止することができる。
【００２３】
請求項３記載の発明によれば、前記表面板部及び根太板部のそれぞれの少なくとも下面に防湿シートが貼着されるとともに、それぞれの木質材が耐水性（撥水性）に優れているので、木質材の洗い場の床面に対面する表面（下面）をさらに保護することができるとともに、防湿シートで保護されない他の木質材表面も耐水性（撥水性）が向上する。
【００２４】
このため、浴室の洗い場に設置される複数の木質材からなるすのこを腐れやカビから更に確実に防止することができる。
【発明を実施するための最良の形態】
【００２５】
＜浴室用すのこの構成＞  
以下に、本発明の実施形態を図１、図２に基づいて説明する。なお、図５〜図８に示した構成と同等部分には適宜に同一符号を付して説明する。
【００２６】
図１（ａ）、（ｂ）、（ｃ）に示すように、本発明の浴室用すのこ５は、複数の木質材１からなる表面板部３及び複数の木質材２からなる根太板部４が上下に略９０度の角度に交差して固着される。表面板部３と根太板部４の固着に際してはウレタン系接着剤が用いられる。
【００２７】
前記表面板部３及び根太板部４は、それぞれの複数の木質材１、２の少なくとも下面１５、１４に防湿シート１６が貼着される。防湿シート１６は例えば艶消し透明のＰＰ（ポリプロピレン）シートが用いられ反応性ホットメルト接着剤によって貼着（ラミネート）される。
【００２８】
前記表面板部３の木質材１に対する防湿シート１６の貼着範囲は、その下面１５全域と長手方向の両側面１７の略１／２高さまでの領域である。なお、短手方向の両側面１８領域には防湿シート１６が貼着されないが、その理由は木質材１があらかじめ長尺の段階で下面１５全域と長手方向の側面１７の略１／２高さまでの領域に防湿シート１６を施工した状態で、それぞれの所要長さＬに切断される防湿シート１６の施工方法に起因するものである。
【００２９】
一方、前記根太板部４の木質材２に対する防湿シート１６は、その下面１４全域に加えて長手方向の側面２０及び短手方向の側面２１の全側面領域に至って貼着される。
【００３０】
図２、図３に示すように、前記根太板部４の所定の木質材２の下面１４には、前記浴室用すのこ５を水平に支持する複数のゴム等の弾性材からなる支持脚２２を備えており、その形状は略円柱形状の支持脚本体２３に球面形状の先端部２４が結合した形状である。
【００３１】
そして、支持脚２２は複数のすのこ５が同一面で水平になるように、浴室３３の洗い場３２の床面３４の勾配に合わせてそれぞれの支持脚２２の高さを調整した状態で、支持脚２２の基部２５が前記根太板部４の所定の木質材２の下面１４に設けられた孔２６に嵌合するとともにウレタン系接着剤で固着保持される。
【００３２】
いま、支持脚２２の全高Ｈ、支持脚本体２３の高さＨ１、先端部２４の断面の直径Ｄ、先端部２４の高さＨ２、支持脚本体２３が孔２６に嵌合される深さをＨ３とし、さらに、孔２６の直径Ｄ１、孔２６の深さＨ４、さらに、木質材２の厚さＨ５とすると、それぞれの関係は次のように表される。
【００３３】
Ｈ３＝Ｈ４＞（１／２ｘＨ５）
Ｄ＝Ｄ１
Ｈ２＜（１／２ｘＤ）
ここで、洗い場３２の床面３４に必要なすのこ５の必要数量は、床面３４の面積をベースに割り出され、同時にすのこ５の寸法（縦Ｌ、横Ｍ）も算出される。なお、すのこ５の形状（縦Ｌ、横Ｍ）は必ずしもすべて同じである必要はなく現場状況に応じて決定される。いま、図３においては、同じ寸法の３枚のすのこ５が同一水平面になるように配置されており、前記表面板部３としての木質材１が８枚、前記根太板部４としての木質材２が３枚が使用されている。
【００３４】
なお、使用される木質材１、２は、例えば天然系素材としての桧、ヒバ、等が使用されるが、適当な樹木の表面に天然系素材の薄板を貼り合わせた合板等も使用される。
【００３５】
＜浴室用すのこの作用＞
図４に示すように、支持脚２２の先端部２４が球面形状なので接地面２７は円形であり、さらに先端部２４の球面形状は上記のように、Ｈ２＜（１／２ｘＤ）の条件を持つ球面形状である。つまり、接地面積を増加させるために正球面形状ではなく偏平球面形状を採用している。
【００３６】
このため、加重が掛かる状態で接地面２７の直径Ｄ１は支持脚２２の直径Ｄの略１／2を確保できるので、断面積比Ｐ＝（Ｄ１／Ｄ）２＝１／４となる。
【００３７】
そして、上記のように先端部９が円盤形状の場合には先端部９の裏面９ａが薄い三日月形状１２で接地するのに比較すると接触面積が格段に増加するとともに支持脚２２の断面と略同心円で接地するので安定して接地することができるので、複数の支持脚２２によってすのこ５を確実に水平に安定して支持できる。  
さらに、ユニット式の浴室の場合には洗い場としての床パン寸法が明確に規定されているので、すのこ５を設置する場合にそれぞれの支持脚２２の配置位置は自明であり、床勾配に対応してすのこ５を水平にする支持脚２２の長さは設置前に計算できるので、従来用いられていた支持脚８のような高さ調節用のアジャスター７機能はまったく不要である。
【００３８】
床パン成形時の歪等があっても、支持脚２２の先端部２４が弾性的な球面形状であるので、広い接触面積でクッション性を持って接地できるので床勾配によるガタツキを解決してすのこ５全体を安定して床に設置できる。
【００３９】
そして、防湿シート１６によって洗い場３２の床面３４に対面する前記表面板部３及び根太板部４それぞれの木質材１、２の下面１５、１４と、前記根太板部４の木質材２の側面２０、２１を保護することができる。
【００４０】
このため、浴室の洗い場に設置される複数の木質材からなるすのこを腐れやカビから確実に防止できる。
【００４１】
なお、前記表面板部３及び根太板部４のそれぞれの木質材１、２は、あらかじめ例えば窒素の雰囲気下で摂氏１８０度〜２００度の温度で加熱処理して撥水剤を塗布したり、アクリル系樹脂で含浸して硬化させてからウレタン系塗料を塗布して改質しておいてもよい。
【００４２】
木質材が耐水性（撥水性）に改質されている浴室用すのこであれば、洗い場の床面に対面する木質材の表面（下面）をさらに保護することができるとともに防湿シートで保護されない木質材表面も耐水性（撥水性）が向上する。
【００４３】
以上、本発明の実施形態を図面に基づいて説明したが、上記の実施例はいずれも本発明の一例を示したものであり、本発明はこれらに限定されるべきでないということはいうまでもない。
【００４４】
たとえば、上記のように、施工方法上の問題から前記表面板部３の木質材１の短手方向の両側面１８領域には防湿シート１６が貼着されないが、さらに別工程で短手方向の両側面１８領域に防湿シートを貼着してもよい。これにより、防湿効果がさらに上がるので商品品質がさらに向上する。
【００４５】
前記表面板部及び根太板部の防湿シートは艶消し透明のＰＰ（ポリプロピレン）シートのかわりに木質材と同じ色に着色したＰＰシートを使用すれば前記表面板部及び根太板部の表面全域に亘って調和の取れた感じが得られるので、さらに商品の品質価値が向上する。
【図面の簡単な説明】
【００４６】
【図１】本発明の実施形態における、（ａ）は浴室用すのこの斜視図、（ｂ）は表面板部を構成する木質材の斜視図、（ｃ）は根太板部を構成する木質材の斜視図である。
【図２】本発明の実施形態における、根太板部の下面に支持脚が保持される状態を示す側面断面図である。
【図３】本発明の実施形態における、浴室に浴室用すのこが配置された状態を示す平面図である。
【図４】本発明の実施形態における、支持脚が浴室の洗い場の床に押し付けられた状態を示す平面断面図である。
【図５】従来例における、浴室用すのこの斜視図である。
【図６】従来例における、根太板部の下面に支持脚が取付けられた状態を示す浴室用すのこの斜視図である。
【図７】従来例における、浴室と、浴室の洗い場の床の水勾配を示す平面図である。
【図８】従来例における、（ａ）は支持脚が浴室の洗い場の床に押し付けられた状態を示す側面図、（ｂ）は図８（ａ）のＡ−Ａ断面図である。
【符号の説明】
【００４７】
１  木質材
３  表面板部
２  木質材
４  根太板部
５  すのこ
６  下面
１５  下面
１６  防湿シート
１７  側面
１８  側面
２０  側面
２１  側面
【図１】
2006263379.tif 000003
【図２】
2006263379.tif 000004
【図３】
2006263379.tif 000005
【図４】
2006263379.tif 000006
【図５】
2006263379.tif 000007
【図６】
2006263379.tif 000008
【図７】
2006263379.tif 000009
【図８】
2006263379.tif 000010